(57)【要約】【課題】輝度むらを低減しながら薄型化を図ることが可能な発光装置を得る。【解決手段】発光装置４００は、光透過性を有し表裏面の双方から光を放出する面発光素子１０，２０と、面発光素子１０，２０に対向するように表面１６，２６側に配置された拡散部材３０と、面発光素子１０，２０に対向するように裏面１７，２７側に配置された反射部材４０と、面発光素子１０，２０間に形成された非発光領域Ｒ３０に間隔を空けて反射部材４０が位置している側からこれに対向するように設けられた反射部材５０とを備える。反射部材５０の反射面５１は、面発光素子１０の側から面発光素子２０の側に向かうにつれて非発光領域Ｒ３０から遠ざかる方向に延びる形状を有する第１反射領域５２と、面発光素子２０の側から面発光素子１０の側に向かうにつれて非発光領域Ｒ３０から遠ざかる方向に延びる形状を有する第２反射領域５３とを有する。【選択図】図７
2014229547.tif 000002
【特許請求の範囲】
【請求項１】
相互に隣り合うように配置され、各々が光透過性を有しており、各々の内部で生成した光を表面および裏面の双方から放出する第１面発光素子および第２面発光素子と、
前記第１面発光素子および前記第２面発光素子に間隔を空けて前記表面の側からこれらに対向するように配置された拡散部材と、  第１反射面を含み、前記第１反射面が、前記第１面発光素子および前記第２面発光素子に間隔を空けて前記裏面の側からこれらに対向するように設けられた第１反射部材と、
第２反射面を含み、前記第２反射面が、前記第１面発光素子および前記第２面発光素子の間に形成された非発光領域に間隔を空けて前記第１反射部材が位置している側からこれに対向するように設けられた第２反射部材と、を備え、
前記第２反射面は、
前記第１面発光素子の側から前記第２面発光素子の側に向かうにつれて前記非発光領域から遠ざかる方向に延びる形状を有する第１反射領域と、
前記第２面発光素子の側から前記第１面発光素子の側に向かうにつれて前記非発光領域から遠ざかる方向に延びる形状を有する第２反射領域と、を有する、
発光装置。
【請求項２】
前記第１反射領域および／または前記第２反射領域は、平坦な面形状を有している、
請求項１に記載の発光装置。
【請求項３】
前記第１反射領域および／または前記第２反射領域は、湾曲した面形状を有している、
請求項１に記載の発光装置。
【請求項４】
前記第２反射面は、複数の前記第１反射領域および複数の前記第２反射領域を有している、
請求項１から３のいずれか１項に記載の発光装置。
【請求項５】
前記第２反射面は、前記非発光領域に対向する部分と、当該部分から前記第１反射領域の側および／または前記第２反射領域の側に延出し前記非発光領域に対向しない部分と、を有する、
請求項１から４のいずれか１項に記載の発光装置。
【発明の詳細な説明】
【技術分野】
【０００１】
本発明は、発光装置に関し、特に、隣り合って配置された複数の面発光素子を備える発光装置に関する。
【背景技術】
【０００２】
特開２００９−２１１８８５号公報（特許文献１）および特開２０１０−１５７５１５号公報（特許文献２）に開示されているように、近年、有機ＥＬパネル（Organic  Electroluminescence  Panel）などの面発光素子を用いた発光効率の高い発光装置が注目を集めている。このような発光装置は、照明分野に限られず、液晶ディスプレイ、計算機モニター、または、屋外広告などの各種電子機器のバックライト等としても用いられている。
【先行技術文献】
【特許文献】
【０００３】
【特許文献１】特開２００９−２１１８８５号公報
【特許文献２】特開２０１０−１５７５１５号公報
【発明の概要】
【発明が解決しようとする課題】
【０００４】
有機ＥＬパネルなどの面発光素子には、発光部に電力を供給するための電極取出部等を設ける箇所を確保するために、その面発光素子の外周に非発光領域が形成される。複数の面発光素子が隣り合って配置される場合、非発光領域の存在により輝度むらが生じやすい。光放射面側に拡散板を設けてその拡散板と光放射面との間の間隔を十分に確保した場合、輝度むらは低減されるが、発光装置の薄型化を実現することは困難となる。
【０００５】
本発明は、このような実情に鑑みてなされたものであって、輝度むらを低減しながら薄型化を図ることが可能な発光装置を提供することを目的とする。
【課題を解決するための手段】
【０００６】
本発明に基づく発光装置は、相互に隣り合うように配置され、各々が光透過性を有しており、各々の内部で生成した光を表面および裏面の双方から放出する第１面発光素子および第２面発光素子と、上記第１面発光素子および上記第２面発光素子に間隔を空けて上記表面の側からこれらに対向するように配置された拡散部材と、第１反射面を含み、上記第１反射面が、上記第１面発光素子および上記第２面発光素子に間隔を空けて上記裏面の側からこれらに対向するように設けられた第１反射部材と、第２反射面を含み、上記第２反射面が、上記第１面発光素子および上記第２面発光素子の間に形成された非発光領域に間隔を空けて上記第１反射部材が位置している側からこれに対向するように設けられた第２反射部材と、を備え、上記第２反射面は、上記第１面発光素子の側から上記第２面発光素子の側に向かうにつれて上記非発光領域から遠ざかる方向に延びる形状を有する第１反射領域と、上記第２面発光素子の側から上記第１面発光素子の側に向かうにつれて上記非発光領域から遠ざかる方向に延びる形状を有する第２反射領域と、を有する。
【０００７】
好ましくは、上記第１反射領域および／または上記第２反射領域は、平坦な面形状を有している。
【０００８】
好ましくは、上記第１反射領域および／または上記第２反射領域は、湾曲した面形状を有している。
【０００９】
好ましくは、上記第２反射面は、複数の上記第１反射領域および複数の上記第２反射領域を有している。
【００１０】
好ましくは、上記第２反射面は、上記非発光領域に対向する部分と、当該部分から上記第１反射領域の側および／または上記第２反射領域の側に延出し上記非発光領域に対向しない部分と、を有する。
【発明の効果】
【００１１】
本発明によれば、輝度むらを低減しながら薄型化を図ることが可能な発光装置を得ることができる。
【図面の簡単な説明】
【００１２】
【図１】比較例１における発光装置を示す断面図である。
【図２】比較例１における発光装置に用いられる面発光素子を示す断面図である。
【図３】比較例１における発光装置に用いられる面発光素子が発光している様子を模式的に示す断面図である。
【図４】（Ａ）は、比較例１における発光装置に用いられる面発光素子から放射された光の広がりを模式的に示す図である。（Ｂ）は、比較例１における発光装置に用いられる面発光素子が配列されている方向上の位置と、面発光素子から放射された光の強度との関係を示すグラフである。
【図５】（Ａ）は、比較例２における発光装置に用いられる面発光素子から放射された光の広がりを模式的に示す図である。（Ｂ）は、比較例２における発光装置に用いられる面発光素子が配列されている方向上の位置と、面発光素子から放射された光の強度との関係を示すグラフである。
【図６】比較例３における発光装置に用いられる面発光素子から放射された光の広がりを模式的に示す図である。
【図７】実施の形態１における発光装置を示す断面図である。
【図８】面発光素子が配列されている方向上の位置と、面発光素子から放射された光の拡散部材が配置されている位置における光強度との関係を模式的に示す図である。
【図９】実施の形態２における発光装置を示す断面図である。
【図１０】実施の形態３における発光装置を示す断面図である。
【図１１】実施例１で用いた反射部材（第２反射部材）の形状を説明するための図である。
【図１２】実施例２で用いた反射部材（第２反射部材）の形状を説明するための図である。
【図１３】実施例３で用いた反射部材（第２反射部材）の形状を説明するための図である。
【図１４】実施例１〜３および比較例１に係る発光装置の規格化正面輝度プロファイルを示すグラフである。
【発明を実施するための形態】
【００１３】
［比較例］
本発明に基づいた各実施の形態について説明する前に、本発明に関する比較例１〜３について、以下、図面を参照しながら説明する。各比較例の説明において、同一の部品、相当部品に対しては、同一の参照番号を付し、重複する説明は繰り返さない場合がある。
【００１４】
［比較例１］
図１を参照して、比較例１における発光装置１００は、面発光素子１０，２０、拡散部材３０、および反射部材４０を備える。面発光素子１０，２０は、厚さＴ１を有し、有機ＥＬ（Organic  Electroluminescence）からそれぞれ構成される。面発光素子１０，２０は、相互に隣り合うように平面状（同一平面上）に配置される。発光装置１００は、面状（平面状または曲面状）に並べられた３以上の面発光素子を備えていてもよい。
【００１５】
面発光素子１０は、表面１６および裏面１７を含み、有機層１３（発光部）が内部に設けられる（詳細は後述する）。面発光素子２０は、表面２６および裏面２７を含み、有機層２３（発光部）が内部に設けられる（詳細は後述する）。有機層１３および有機層２３の間には間隔Ｌ３が設けられ、有機層１３および有機層２３の間には非発光領域Ｒ３０が形成されている。
【００１６】
拡散部材３０は、表面３１および裏面３２を含み、厚さＴ２を有している。拡散部材３０は、面発光素子１０，２０の表面１６，２６の側に配置され、拡散部材３０の裏面３２と面発光素子１０，２０の表面１６，２６との間には間隔Ｌ１が設けられている。拡散部材３０は、面発光素子１０，２０との間に間隔Ｌ１を空けて表面１６，２６の側からこれらに対向している。拡散部材３０は、図示しない筺体等によって、面発光素子１０，２０に対して平行な位置関係となるように固定されている。
【００１７】
反射部材４０は、反射面４１を含み、厚さＴ３を有している。反射部材４０は、面発光素子１０，２０の裏面１７，２７の側に配置され、反射部材４０の反射面４１と面発光素子１０，２０の裏面１７，２７との間には間隔Ｌ２が設けられている。反射部材４０の反射面４１は、面発光素子１０，２０との間に間隔Ｌ２を空けて裏面１７，２７の側からこれらに対向している。
【００１８】
反射部材４０の反射面４１は、裏面１７の側から裏面２７の側に及ぶように延在する形状を有している。反射部材４０の反射面４１は、非発光領域Ｒ３０に対して間隔を空けながら非発光領域Ｒ３０を裏面１７，２７の側から覆うように設けられ、面発光素子１０，２０に対して平行な位置関係となるように固定されている。
【００１９】
面発光素子１０、面発光素子２０、拡散部材３０、および反射部材４０は、図示しない筺体によって固定され、発光装置１００として一体化されている。発光装置１００の厚さＨは、拡散部材３０の厚さＴ２、間隔Ｌ１、面発光素子１０，２０の厚さＴ１、間隔Ｌ２、および、面発光素子２０の厚さＴ３を合算することによって得られる値となる。
【００２０】
（面発光素子１０，２０）
図２を参照して、面発光素子１０，２０について説明する。図２において、括弧書きで示される参照符号については、面発光素子２０に対応するものである。上述のとおり、面発光素子１０は、有機ＥＬを含む発光手段である。面発光素子１０は、透明基板１１（カバー層）、陽極１２、有機層１３、陰極１４、および封止部材１５を含む。陽極１２、有機層１３、陰極１４、および封止部材１５は、いずれも光透過性を有する物質から構成され、表面１６側から裏面１７側に向かって透明基板１１上に順次積層される。
【００２１】
透明基板１１は、たとえば各種のガラス基板から構成される。面発光素子１０の表面１６は、透明基板１１の表面（有機層１３等が積層される側とは反対側の表面）に対応している。陽極１２は、光透過性を有する導電膜である。陽極１２は、ＩＴＯ（Indium  Tin  Oxide：インジウム錫酸化物）等が透明基板１１上に成膜されることにより形成される。
【００２２】
有機層１３（発光部）は、光透過性を有する物質から形成され、電力が供給されることによって光（可視光）を生成する。有機層１３は、単層の発光層から構成されていてもよく、正孔輸送層、発光層、正孔阻止層、および電子輸送層などが順次積層されることによって構成されていてもよい。陰極１４も、光透過性を有する導電膜である。陰極１４は、ＩＴＯ等が有機層１３上に成膜されることにより形成される。
【００２３】
封止部材１５は、絶縁性および光透過性を有するガラス基板などから構成される。封止部材１５は、陽極１２、有機層１３、および陰極１４などの面発光素子１０の内部に設けられる部材の略全体を透明基板１１とともに封止し、これらを水分等から保護する。有機層１３等は、透明基板１１に比べて幅狭であり、表面１６には、有機層１３が形成されている領域に対応して発光領域Ｒ１１が形成され、その外周には非発光領域Ｒ１３が形成される。面発光素子１０の裏面１７には、有機層１３が形成されている領域に対応して発光領域Ｒ１２が形成される。
【００２４】
面発光素子１０は、内部（有機層１３）で生成した光を表面１６側から外部に向かって放射するとともに（矢印ＡＲ１１参照）、裏面１７側からも外部に向かって放射する（矢印ＡＲ１２参照）。透明基板１１、陽極１２、有機層１３、陰極１４および封止部材１５は、いずれも光透過性を有する物質から形成されており、面発光素子１０は、面発光素子１０に入射した光が面発光素子１０を透過可能に構成されている。
【００２５】
面発光素子２０は、面発光素子１０と同一の構成を有している。面発光素子２０は、有機ＥＬを含む発光手段である。面発光素子２０は、透明基板２１（カバー層）、陽極２２、有機層２３、陰極２４、および封止部材２５を含む。陽極２２、有機層２３、陰極２４、および封止部材２５は、いずれも光透過性を有する物質から構成され、表面２６側から裏面２７側に向かって透明基板２１上に順次積層される。
【００２６】
透明基板２１は、たとえば各種のガラス基板から構成される。面発光素子２０の表面２６は、透明基板２１の表面（有機層２３等が積層される側とは反対側の表面）に対応している。陽極２２は、光透過性を有する導電膜である。陽極２２は、ＩＴＯ（Indium  Tin  Oxide：インジウム錫酸化物）等が透明基板２１上に成膜されることにより形成される。
【００２７】
有機層２３（発光部）は、光透過性を有する物質から形成され、電力が供給されることによって光（可視光）を生成する。有機層２３は、単層の発光層から構成されていてもよく、正孔輸送層、発光層、正孔阻止層、および電子輸送層などが順次積層されることによって構成されていてもよい。陰極２４も、光透過性を有する導電膜である。陰極２４は、ＩＴＯ等が有機層２３上に成膜されることにより形成される。
【００２８】
封止部材２５は、絶縁性および光透過性を有するガラス基板などから構成される。封止部材２５は、陽極２２、有機層２３、および陰極２４などの面発光素子２０の内部に設けられる部材の略全体を透明基板２１とともに封止し、これらを水分等から保護する。有機層２３等は、透明基板２１に比べて幅狭であり、表面２６には、有機層２３が形成されている領域に対応して発光領域Ｒ２１が形成され、その外周には非発光領域Ｒ２３が形成される。面発光素子２０の裏面２７には、有機層２３が形成されている領域に対応して発光領域Ｒ２２が形成される。
【００２９】
面発光素子２０は、内部（有機層２３）で生成した光を表面２６側から外部に向かって放射するとともに（矢印ＡＲ２１参照）、裏面２７側からも外部に向かって放射する（矢印ＡＲ２２参照）。透明基板２１、陽極２２、有機層２３、陰極２４および封止部材２５は、いずれも光透過性を有する物質から形成されており、面発光素子２０は、面発光素子２０に入射した光が面発光素子２０を透過可能に構成されている。
【００３０】
図１においては、図示上および説明上の便宜のため、面発光素子１０については透明基板１１および有機層１３のみを記載しているが、面発光素子１０は、実際には、図２に示すように、透明基板１１、陽極１２、有機層１３、陰極１４、および封止部材１５を含むという構成を有している。同様に、図１においては、面発光素子２０については透明基板２１および有機層２３のみを記載しているが、面発光素子２０は、実際には、図２に示すように、透明基板２１、陽極２２、有機層２３、陰極２４、および封止部材２５を含むという構成を有している。
【００３１】
（作用・効果）
図３および図４を参照して、発光装置１００の作用および効果について説明する。図３は、面発光素子１０，２０が発光している様子を模式的に示す断面図である。図４（Ａ）は、面発光素子１０，２０からそれぞれ放射された光の広がりを模式的に示す図である。図４（Ｂ）は、面発光素子１０，２０が配列されている方向（Ｘ方向）上の位置と、面発光素子１０，２０から放射された光の強度との関係を示すグラフである。
【００３２】
図３および図４（Ａ）に示すように、面発光素子１０は、表面１６側および裏面１７側の双方から光を放射する。表面１６側から放射された光（図３中の矢印ＡＲ１１参照）の多くは、間隔Ｌ１の分だけ移動し、拡散部材３０に到達する。この光は、図４（Ａ）中の領域Ａ１１に示すような光の広がりを持って拡散部材３０（図４中において図示せず）に到達する。拡散部材３０に到達した光は、裏面３２側から拡散部材３０に入射した後、表面３１から外部に向かって拡散された状態で放射される。
【００３３】
面発光素子１０の裏面１７から放射された光の一部（図３中の矢印ＡＲ１２ａ）は、間隔Ｌ２の分だけ移動し、反射部材４０の反射面４１に到達する。この光は、図４（Ａ）中の領域Ａ１２に示すような光の広がりを持って反射面４１に到達する。反射面４１で反射した光は、間隔Ｌ２の分だけ移動し、面発光素子１０を透過する。光は、そののち間隔Ｌ１の分だけ移動し、拡散部材３０に到達する。すなわち、反射面４１で反射した光は、図４（Ａ）中の領域Ａ１３に示すような光の広がりを持って拡散部材３０に到達する。拡散部材３０に到達した光は、裏面３２側から拡散部材３０に入射した後、表面３１から外部に向かって拡散された状態で放射される。
【００３４】
裏面１７から放射された光の他の一部（図３中の矢印ＡＲ１２ｂ）は、間隔Ｌ２の分だけ移動し、反射部材４０の反射面４１に到達する。この光も、図４（Ａ）中の領域Ａ１２に示すような光の広がりを持って反射面４１に到達する。反射面４１で反射した光は、図４（Ａ）中の領域Ａ１３に示すような広がりを持ちながら間隔Ｌ２の分だけ移動し、非発光領域Ｒ３０内に位置する透明基板１１を透過したり、面発光素子１０，２０間を通過したりする。その後、これらの光は、図４（Ａ）中の領域Ａ１３に示すように間隔Ｌ１の分だけ移動し、拡散部材３０に到達する。拡散部材３０に到達した光は、裏面３２側から拡散部材３０に入射した後、表面３１から外部に向かって拡散された状態で放射される。
【００３５】
面発光素子２０についても同様に、面発光素子２０は、表面２６側および裏面２７側の双方から光を放射する。表面２６側から放射された光（図３中の矢印ＡＲ２１参照）の多くは、間隔Ｌ１の分だけ移動し、拡散部材３０に到達する。この光は、図４（Ａ）中の領域Ａ２１に示すような光の広がりを持って拡散部材３０（図４中において図示せず）に到達する。拡散部材３０に到達した光は、裏面３２側から拡散部材３０に入射した後、表面３１から外部に向かって拡散された状態で放射される。
【００３６】
面発光素子２０の裏面２７から放射された光の一部（図３中の矢印ＡＲ２２ａ）は、間隔Ｌ２の分だけ移動し、反射部材４０の反射面４１に到達する。この光は、図４（Ａ）中の領域Ａ２２に示すような光の広がりを持って反射面４１に到達する。反射面４１で反射した光は、間隔Ｌ２の分だけ移動し、面発光素子２０を透過する。光は、そののち間隔Ｌ１の分だけ移動し、拡散部材３０に到達する。すなわち、反射面４１で反射した光は、図４（Ａ）中の領域Ａ２３に示すような光の広がりを持って拡散部材３０に到達する。拡散部材３０に到達した光は、裏面３２側から拡散部材３０に入射した後、表面３１から外部に向かって拡散された状態で放射される。
【００３７】
裏面２７から放射された光の他の一部（図３中の矢印ＡＲ２２ｂ）は、間隔Ｌ２の分だけ移動し、反射部材４０の反射面４１で反射する。裏面２７側から放射されたこの光も、図４中の領域Ａ２２に示すような光の広がりを持って、反射部材４０の反射面４１に到達する。反射面４１で反射した光は、図４中の領域Ａ２３に示すように広がりながら間隔Ｌ２の分だけ移動し、非発光領域Ｒ３０内に位置する面発光素子２０の透明基板２１を透過したり、面発光素子１０，２０間を通過したりする。その後、これらの光は、図４中の領域Ａ２３に示すように広がりながら間隔Ｌ１の分だけ移動し、拡散部材３０に到達する。拡散部材３０に到達した光は、裏面３２側から拡散部材３０に入射した後、表面３１から拡散部材３０の外部に向かって拡散された状態で放射される。
【００３８】
図４（Ｂ）中の光強度線ｄは、図４（Ａ）におけるＤ−Ｄ線に沿った断面における光の強度分布を示している。Ｄ−Ｄ線は、面発光素子１０，２０の表面１６，２６の極近傍に位置しており、表面１６，２６側から放射された直後の光の強度分布を示している。なお、光強度線ｄは、領域Ａ１１，Ａ２１に示す光の強度分布のみを示しており、領域Ａ１３，Ａ２３に示す光の影響は含まれていない。
【００３９】
図４（Ｂ）中の光強度線ｅは、図４（Ａ）におけるＥ−Ｅ線に沿った断面における光の強度分布を示している。Ｅ−Ｅ線は、面発光素子１０，２０の表面１６，２６から間隔Ｌ１だけ離れたところに位置している。図４（Ｂ）中の光強度線ｅは、同図中の光強度線ｅ１および光強度線ｅ２を合算したものであり、光強度線ｅ１は領域Ａ１１，Ａ２１に示す光（表面１６，２６から拡散部材３０に直接到達する光）のＥ−Ｅ線上における光の強度分布を示しており、光強度線ｅ２は領域Ａ１３，Ａ２３に示す光（裏面１７，２７から放射され、反射部材４０の反射面４１で反射し、面発光素子１０，２０を透過した後に拡散部材３０に到達する光）のＥ−Ｅ線上における光の強度分布を示している。
【００４０】
図４（Ａ）および図４（Ｂ）を参照して、面発光素子１０，２０の表面１６，２６から放射される光に着目すると、この光は、図４（Ａ）中の領域Ａ１１，Ａ２１に示すように広がり、表面１６，２６から間隔Ｌ１の距離分だけ離れたＥ−Ｅ線の位置においては、図４（Ｂ）中の光強度線ｅ１に示すような強度分布を有することになる。
【００４１】
一方、面発光素子１０，２０の裏面１７，２７から放射される光に着目すると、この光は、図４（Ａ）中の領域Ａ１２，Ａ２２に示すような広がりを持ちながら、反射部材４０の反射面４１に到達する。反射面４１で反射した光は、図４（Ａ）中の領域Ａ１３，Ａ２３に示すような広がりを持ちながら、面発光素子１０，２０を透過したり、面発光素子１０，２０間の隙間を通過したりして、表面１６，２６から間隔Ｌ１の距離分だけ離れたＥ−Ｅ線の位置においては、図４（Ｂ）中の光強度線ｅ２に示すような強度分布を有することになる。
【００４２】
面発光素子１０，２０から放射された後に拡散部材３０に到達するまでの実効的な距離（光路長）は、領域Ａ１２，Ａ２２，Ａ１３，Ａ２３に示す光の方が、領域Ａ１１，Ａ２１に示す光よりも長い。したがって、領域Ａ１２，Ａ２２，Ａ１３，Ａ２３に示す光の光強度線ｅ２は、領域Ａ１１，Ａ２１に示す光の光強度線ｅ１に比べて均一な光強度分布を持つことになる。面発光素子１０，２０においては、光強度線ｅ１，ｅ２を合算したものが実際の光強度線ｅとなる。
【００４３】
［比較例２］
図５（Ａ）および図５（Ｂ）を参照して、比較例１に対する比較例２について説明する。比較例２における発光装置２００は、発光装置１００と同様に面発光素子１０ｚ，２０ｚおよび拡散部材３０（図示せず）を備えるが、反射部材４０を備えていない。面発光素子１０ｚ，２０ｚの有機層１３ｚ，２３ｚは、表面側にのみ発光する。
【００４４】
図５（Ａ）を参照して、面発光素子１０ｚの有機層１３ｚで生成され、表面側から放射された光は、領域Ｚ１１に示すような光の広がりを持って拡散部材３０（図示せず）に到達する。同様に、面発光素子２０ｚの有機層２３ｚで生成され、表面側から放射された光は、領域Ｚ２１に示すような光の広がりを持って拡散部材３０（図示せず）に到達する。
【００４５】
図５（Ｂ）中の光強度線ｄｚは、図５（Ａ）におけるＤ−Ｄ線に沿った断面における光の強度分布を示している。Ｄ−Ｄ線は、面発光素子１０ｚ，２０ｚの表面の極近傍に位置しており、表面側から放射された直後の光の強度分布を示している。図５（Ｂ）中の光強度線ｅｚは、図５（Ａ）におけるＥ−Ｅ線に沿った断面における光の強度分布を示している。Ｅ−Ｅ線は、面発光素子１０ｚ，２０ｚの表面から間隔Ｌ１だけ離れたところに位置している。
【００４６】
図５（Ａ）および図５（Ｂ）を参照して、面発光素子１０ｚ，２０ｚの表面から放射された光は、図５（Ａ）中の領域Ｚ１１，Ｚ２１に示すように広がり、表面から間隔Ｌ１の距離分だけ離れたＥ−Ｅ線の位置においては、図５（Ｂ）中の光強度線ｅｚに示すような強度分布を有することになる。
【００４７】
（比較例１と比較例２との対比）
図４（Ｂ）中の光強度線ｅと図５（Ｂ）中の光強度線ｅｚとを対比すると、強度分布としては、比較例１の光強度線ｅは、比較例２の光強度線ｅｚに比べて高い均一性が得られている。これは、光強度線ｅを有する光の中には、面発光素子１０，２０から放射され反射部材４０の反射面４１に反射して拡散部材３０に到達する光（領域Ａ１２，Ａ２２，Ａ１３，Ａ２３に示す光）の成分、すなわち、その光の移動距離（Ｌ２＋Ｌ２＋Ｌ１の分）に応じて光強度分布の均一性が高くなった光の成分（光強度線ｅ２を有する光）が含まれているからである。
【００４８】
［比較例３］
図６を参照して、比較例１，２に対する比較例３について説明する。比較例３の発光装置３００は、発光装置２００を改変したものであり、拡散部材３０（図示せず）の位置は、面発光素子１０，２０の表面からＬ１＋Ｌ２の位置に配置されている。発光装置３００のＦ−Ｆ線上における光の強度分布は、発光装置２００のＥ−Ｅ線上における光の強度分布に比べて均一となる。発光装置３００としての厚さは、比較例１における発光装置１００の厚さＨと略同一となる。
【００４９】
しかしながら、比較例１の発光装置１００の光強度線ｅの強度分布の方が、発光装置３００のそれに比べて高い均一性が得られることになる。上述のとおり、光強度線ｅを有する光の中には、面発光素子１０，２０から放射され反射部材４０に反射して拡散部材３０に到達する光（領域Ａ１２，Ａ２２，Ａ１３，Ａ２３に示す光）の成分、すなわち、その光の移動距離（Ｌ２＋Ｌ２＋Ｌ１の分）に応じて光強度分布の均一性が高くなった光の成分（光強度線ｅ２を有する光）が含まれている。
【００５０】
比較例１の発光装置１００の光強度線ｅの方が、発光装置３００の表面側から放射され距離Ｌ１＋Ｌ２の分だけ移動してＦ−Ｆ線に到達した光の強度分布に比べて均一性が高い。したがって、発光装置１００によれば、略同一の厚さを有する発光装置３００に比べて高い均一性を有する光強度分布を得ることができ、輝度むらを低減しながら薄型化を図ることが可能である。
【００５１】
図１を再び参照して、間隔Ｌ２は間隔Ｌ３の半分以上であるとよい。裏面１７，２７から放射された光の多くが非発光領域Ｒ３０を通過することとなり、発光領域を通過するときに生じ得る透明電極または発光層などの光吸収損失の発生が抑制され、輝度むらの発生をより一層低減できる。
【００５２】
面発光素子１０，２０は、表面１６，２６に比べて裏面１７，２７に多く光を放出するように構成されるとよい。面発光素子１０，２０から放射され反射部材４０に反射して拡散部材３０に到達する光（領域Ａ１２，Ａ２２，Ａ１３，Ａ２３に示す光）の成分、すなわち、その光の移動距離（Ｌ２＋Ｌ２＋Ｌ１の分）に応じて光強度分布の均一性が高くなった光の成分（光強度線ｅ２を有する光）が多くなり、輝度むらの発生をより一層低減できる。
【００５３】
反射部材４０の反射面４１は、高効率な反射を実現可能な鏡面形状を有していてもよく、高効率な反射拡散性を有していてもよい。反射部材４０が散乱成分を含有する反射散乱素子を有している場合、面発光素子１０，２０の裏面１７，２７から放射された光のより多くが、非発光領域Ｒ３０を通過することとなり、輝度むらの発生をより一層低減できる。
【００５４】
［実施の形態］
本発明に基づいた各実施の形態について、以下、図面を参照しながら説明する。各実施の形態の説明において、個数、量などに言及する場合、特に記載がある場合を除き、本発明の範囲は必ずしもその個数、量などに限定されない。各実施の形態の説明において、同一の部品、相当部品に対しては、同一の参照番号を付し、重複する説明は繰り返さない場合がある。
【００５５】
［実施の形態１］
図７を参照して、実施の形態１における発光装置４００は、面発光素子１０（第１面発光素子）、面発光素子２０（第２面発光素子）、拡散部材３０、反射部材４０（第１反射部材）、および反射部材５０（第２反射部材）を備える。発光装置４００は、上述の比較例１の発光装置１００（図１参照）の構成に加えて、反射部材５０をさらに備えるという構成を有している。
【００５６】
反射部材５０は、反射部材４０の反射面４１（第１反射面）上においてこれに固定されている。この構成に限られず、反射部材５０は、反射面４１に接しないように構成され、図示しない筺体などに固定されていてもよい。本実施の形態では、反射部材４０および反射部材５０同士は別の部材から構成されるが、これらは一つの部材から構成されていてもよい。
【００５７】
反射部材５０は、反射面５１（第２反射面）を含む。反射面５１は、面発光素子１０と面発光素子２０との間に形成された非発光領域Ｒ３０に間隔を空けて配置され、反射部材４０が位置している側から非発光領域Ｒ３０に対向している。反射面５１は、非発光領域Ｒ３０に対して間隔を空けながら、非発光領域Ｒ３０を裏面１７，２７の側から覆うように位置している。
【００５８】
反射面５１は、第１反射領域５２と第２反射領域５３とを有する。第１反射領域５２は、面発光素子１０の側から面発光素子２０の側に向かうにつれて（図７中の左側から右側に向かうにつれて）、非発光領域Ｒ３０から遠ざかる方向に延びる形状を有している。第２反射領域５３は、面発光素子２０の側から面発光素子１０の側に向かうにつれて（図７中の右側から左側に向かうにつれて）、非発光領域Ｒ３０から遠ざかる方向に延びる形状を有している。反射面５１の全体としては、拡散部材３０の側から反射部材４０の側に向かって三角柱状に凹むような形状を有している。
【００５９】
第１反射領域５２と第２反射領域５３との間には、図７紙面に対して垂直な方向に延びる稜線が形成されている。面発光素子１０，２０の配列方向（図７紙面左右方向）において、この稜線は、同方向において非発光領域Ｒ３０が設けられている範囲内に含まれるように位置している。好ましくは、面発光素子１０，２０の配列方向（図７紙面左右方向）におけるこの稜線の位置は、同方向における非発光領域Ｒ３０の丁度中心の位置に一致しているとよい。図７に示すように、本実施の形態では、面発光素子１０，２０の間に隙間Ｓが設けられる。好ましくは、面発光素子１０，２０の配列方向（図７紙面左右方向）において、この稜線は、同方向において隙間Ｓが設けられている範囲内に含まれるように位置しているとよい。
【００６０】
第１反射領域５２は、この稜線を起点として面発光素子１０の側に向かって斜めに延びる形状を有している。第２反射領域５３は、この稜線を起点として面発光素子２０の側に向かって斜めに延びる形状を有している。第１反射領域５２および第２反射領域５３は、平坦な面形状を有している。第１反射領域５２および第２反射領域５３は、湾曲した面形状を有していてもよい。湾曲面としては、拡散部材３０の側から反射部材４０の側に向かって凹状に（凹むように）湾曲する形状であってもよく、反射部材４０の側から拡散部材３０の側に向かって凸状に（膨らむように）湾曲する形状であってもよい。
【００６１】
第１反射領域５２および第２反射領域５３のうちの一方が平坦な面形状を有していてもよい。第１反射領域５２および第２反射領域５３のうちの一方が湾曲した面形状を有していてもよい。第１反射領域５２および第２反射領域５３は、上記の稜線を含む法線を中心として線対称（図７紙面における左右対称）の形状を有していてもよく、互いに異なる形状を有していてもよい。第１反射領域５２および第２反射領域５３には、高効率な反射を実現可能な鏡面加工が施されていてもよく、高効率な反射および拡散を実現可能な加工が施されていてもよい。
【００６２】
（作用・効果）
図８を参照して、発光装置４００の作用および効果について説明する。図８の横軸は、面発光素子１０，２０が配列されている方向上の位置を示している。この横軸は、隣り合う面発光素子１０，２０のちょうど間の部分の位置を０としている。図８の縦軸は、面発光素子１０，２０から放射された光の、拡散部材３０が配置されている位置における光強度を示している。
【００６３】
上述の比較例１でも述べたように、反射部材４０を面発光素子１０，２０の裏面１７，２７の側に配置し、面発光素子１０，２０から放射された後に拡散部材３０に到達するまでの光の実効的な距離（光路長）を長くすることによって、輝度むらを低減できる。しかしながら、反射部材５０（第２反射部材）を備えない比較例１の構成では、その低減の度合いが十分でない場合がある。
【００６４】
輝度むらの低減の度合いが十分でない場合、たとえば、図８中の線Ｂ１に示されるような光強度を有する光が拡散部材３０に到達することとなる。これに対して本実施の形態のように反射部材５０を用いる場合には、反射部材５０の反射面５１で反射した光は非発光領域Ｒ３０に向かって集光（収束）され、反射部材５０の反射面５１で反射した光は図８中の線Ｂ２に示されるような光強度を有する光となって拡散部材３０に到達することとなる。
【００６５】
図８中の線Ｂ３は、線Ｂ１および線Ｂ２を合算（合成）したものである。線Ｂ３に示されるように、反射部材５０を用いる場合には輝度むらの発生をより低減できるものとなる。線Ｂ３は、例示として模式的に示しているものであり、線Ｂ３には輝度が部分的に高くなる箇所が２つあるが、反射部材５０の反射面５１の形状を調節したり、反射部材４０の反射面４１の反射率を調節したり、反射部材５０の反射面５１の反射率を調節したりすることにより、これらの輝度むらは容易に低減することができる。
【００６６】
図７を再び参照して、面発光素子１０，２０の配列方向（図７紙面左右方向）において、本実施の形態の反射面５１は、非発光領域Ｒ３０よりも広い幅を有している。反射面５１は、非発光領域Ｒ３０に対向する部分と、当該部分から面発光素子１０の側および面発光素子２０の側に延出する部分とを有している。面発光素子１０の側および面発光素子２０の側に延出している部分は、非発光領域Ｒ３０には対向していない。
【００６７】
このような構成に限られず、面発光素子１０，２０の配列方向（図７紙面左右方向）において、反射面５１は、非発光領域Ｒ３０よりも狭い幅を有していてもよい。反射面５１は、非発光領域Ｒ３０に対向する部分と、当該部分から面発光素子１０の側および／または面発光素子２０の側に延出する部分とを有するように構成してもよい。
【００６８】
［実施の形態２］
図９を参照して、実施の形態２における発光装置５００は、面発光素子１０（第１面発光素子）、面発光素子２０（第２面発光素子）、拡散部材３０、反射部材４０（第１反射部材）、反射部材６０（第２反射部材）、および反射部材７０Ａ，７０Ｂを備える。発光装置５００は、上述の実施の形態１の発光装置４００（図７参照）と同様の構成に加えて、反射部材５０の代わりに反射部材６０を備えるという構成と、反射部材７０Ａ，７０Ｂをさらに備えるという構成とを有している。
【００６９】
反射部材６０は、反射部材４０の反射面４１（第１反射面）上においてこれに固定されている。この構成に限られず、反射部材６０は、反射面４１に接しないように構成され、図示しない筺体などに固定されていてもよい。本実施の形態では、反射部材４０および反射部材６０同士は別の部材から構成されるが、これらは一つの部材から構成されていてもよい。
【００７０】
反射部材６０は、反射面６１（第２反射面）を含む。反射面６１は、面発光素子１０と面発光素子２０との間に形成された非発光領域Ｒ３０に間隔を空けて配置され、反射部材４０が位置している側から非発光領域Ｒ３０に対向している。反射面６１は、非発光領域Ｒ３０に対して間隔を空けながら、非発光領域Ｒ３０を裏面１７，２７の側から覆うように位置している。
【００７１】
反射面６１は、複数の第１反射領域６２ａ，６２ｂ，６２ｃと、複数の第２反射領域６３ａ，６３ｂ，６３ｃとを有する。第１反射領域６２ａ，６２ｂ，６２ｃは、面発光素子１０の側から面発光素子２０の側に向かうにつれて（図９中の左側から右側に向かうにつれて）、非発光領域Ｒ３０から遠ざかる方向に延びる形状を有している。第２反射領域６３ａ，６３ｂ，６３ｃは、面発光素子２０の側から面発光素子１０の側に向かうにつれて（図９中の右側から左側に向かうにつれて）、非発光領域Ｒ３０から遠ざかる方向に延びる形状を有している。反射面６１の全体としては、いわゆるリニアフレネルレンズ面の形状を有している。
【００７２】
反射部材６０は、上述の実施の形態１における反射部材５０（図７参照）を、面発光素子１０，２０の配列方向に６つの領域に分割し、各々の頂部の高さが略同一となるようにそれぞれの領域の厚みを減らした形状を有している。これら６つの領域は、非発光領域Ｒ３０が延びる方向（図９紙面に対して垂直な方向）に沿って延びる形状を有しており、面発光素子１０，２０の配列方向に沿って並んでいる。６つのうちの紙面左側に位置する３つの領域の表面に第１反射領域６２ａ，６２ｂ，６２ｃが形成され、６つのうちの紙面右側に位置する３つの領域の表面に第２反射領域６３ａ，６３ｂ，６３ｃが形成されている。
【００７３】
第１反射領域６２ａと第２反射領域６３ａとの間には、図９紙面に対して垂直な方向に延びる稜線が形成されている。面発光素子１０，２０の配列方向（図９紙面左右方向）において、この稜線は、同方向において非発光領域Ｒ３０が設けられている範囲内に含まれるように位置している。好ましくは、面発光素子１０，２０の配列方向（図９紙面左右方向）におけるこの稜線の位置は、同方向における非発光領域Ｒ３０の丁度中心の位置に一致しているとよい。図９に示すように、本実施の形態では、面発光素子１０，２０の間に隙間Ｓが設けられる。好ましくは、面発光素子１０，２０の配列方向（図９紙面左右方向）において、この稜線は、同方向において隙間Ｓが設けられている範囲内に含まれるように位置しているとよい。
【００７４】
第１反射領域６２ａは、第１反射領域６２ａと第２反射領域６３ａとの間に位置する稜線を起点として、面発光素子１０の側に向かって斜めに延びる形状を有している。第１反射領域６２ｂは、その稜線のひとつ左側の稜線を起点として、面発光素子１０の側に向かって斜めに延びる形状を有している。第１反射領域６２ｃは、その稜線のさらにひとつ左側の稜線を起点として、面発光素子１０の側に向かって斜めに延びる形状を有している。
【００７５】
第２反射領域６３ａは、第１反射領域６２ａと第２反射領域６３ａとの間に位置する稜線を起点として、面発光素子２０の側に向かって斜めに延びる形状を有している。第２反射領域６３ｂは、その稜線のひとつ右側の稜線を起点として、面発光素子２０の側に向かって斜めに延びる形状を有している。第２反射領域６３ｃは、その稜線のさらにひとつ右側の稜線を起点として、面発光素子２０の側に向かって斜めに延びる形状を有している。
【００７６】
第１反射領域６２ａ，６２ｂ，６２ｃおよび第２反射領域６３ａ，６３ｂ，６３ｃは、平坦な面形状を有している。第１反射領域６２ａ，６２ｂ，６２ｃおよび第２反射領域６３ａ，６３ｂ，６３ｃは、湾曲した面形状を有していてもよい。湾曲面としては、拡散部材３０の側から反射部材４０の側に向かって凹状に（凹むように）湾曲する形状であってもよく、反射部材４０の側から拡散部材３０の側に向かって凸状に（膨らむように）湾曲する形状であってもよい。
【００７７】
第１反射領域６２ａ，６２ｂ，６２ｃおよび第２反射領域６３ａ，６３ｂ，６３ｃのうちのいずれか１つまたは複数が平坦な面形状を有していてもよい。第１反射領域６２ａ，６２ｂ，６２ｃおよび第２反射領域６３ａ，６３ｂ，６３ｃのうちのいずれか１つまたは複数が湾曲した面形状を有していてもよい。第１反射領域６２ａ，６２ｂ，６２ｃおよび第２反射領域６３ａ，６３ｂ，６３ｃは、第１反射領域６２ａと第２反射領域６３ａとの間に位置する稜線を含む法線を中心として線対称（図９紙面における左右対称）の形状を有していてもよく、互いに異なる形状を有していてもよい。第１反射領域６２ａ，６２ｂ，６２ｃおよび第２反射領域６３ａ，６３ｂ，６３ｃには、高効率な反射を実現可能な鏡面加工が施されていてもよく、高効率な反射および拡散を実現可能な加工が施されていてもよい。
【００７８】
反射部材７０Ａは、反射部材４０の反射面４１（第１反射面）上においてこれに固定されている。反射部材７０Ａは、反射面４１に接しないように構成されてもよい。反射部材４０および反射部材７０Ａ同士は、別の部材から構成されてもよいし、これらは一つの部材から構成されていてもよい。反射部材７０Ａは、反射面７１Ａを含む。反射面７１Ａは、面発光素子１０の端部側に形成された非発光領域Ｒ３０Ａに間隔を空けて配置され、反射部材４０が位置している側から非発光領域Ｒ３０Ａに対向している。反射面７１Ａは、複数の反射領域７３ａ，７３ｂ，７３ｃを有し、これらは複数の第２反射領域６３ａ，６３ｂ，６３ｃと同様な形状を有している。
【００７９】
反射部材７０Ｂは、反射部材４０の反射面４１（第１反射面）上においてこれに固定されている。反射部材７０Ｂは、反射面４１に接しないように構成されてもよい。反射部材４０および反射部材７０Ｂ同士は、別の部材から構成されてもよいし、これらは一つの部材から構成されていてもよい。反射部材７０Ｂは、反射面７１Ｂを含む。反射面７１Ｂは、面発光素子２０の端部側に形成された非発光領域Ｒ３０Ｂに間隔を空けて配置され、反射部材４０が位置している側から非発光領域Ｒ３０Ｂに対向している。反射面７１Ｂは、複数の反射領域７２ａ，７２ｂ，７２ｃを有し、これらは複数の第１反射領域６２ａ，６２ｂ，６２ｃと同様な形状を有している。
【００８０】
上述の比較例１でも述べたように、反射部材４０を面発光素子１０，２０の裏面１７，２７の側に配置し、面発光素子１０，２０から放射された後に拡散部材３０に到達するまでの光の実効的な距離（光路長）を長くすることによって、輝度むらを低減できる。しかしながら、反射部材６０（第２反射部材）を備えない比較例１の構成では、その低減の度合いが十分でない場合がある。
【００８１】
輝度むらの低減の度合いが十分でない場合、たとえば、図８中の線Ｂ１に示されるような光強度を有する光が拡散部材３０に到達することとなる。これに対して本実施の形態のように反射部材６０を用いる場合には、反射部材６０の反射面６１で反射した光は非発光領域Ｒ３０に向かって集光（収束）され、反射部材６０の反射面６１で反射した光は図８中の線Ｂ２に示されるような光強度を有する光となって拡散部材３０に到達することとなる。
【００８２】
図８中の線Ｂ３は、線Ｂ１および線Ｂ２を合算（合成）したものである。線Ｂ３に示されるように、反射部材６０を用いる場合には輝度むらの発生をより低減できるものとなる。線Ｂ３は、例示として模式的に示しているものであり、線Ｂ３には輝度が部分的に高くなる箇所が２つあるが、反射部材６０の反射面６１の形状を調節したり、反射部材４０の反射面４１の反射率を調節したり、反射部材６０の反射面６１の反射率を調節したりすることにより、これらの輝度むらは容易に低減することができる。
【００８３】
面発光素子１０，２０の配列方向（図９紙面左右方向）において、本実施の形態の反射面６１は、非発光領域Ｒ３０よりも広い幅を有している。反射面６１は、非発光領域Ｒ３０に対向する部分と、当該部分から面発光素子１０の側および面発光素子２０の側に延出する部分とを有している。面発光素子１０の側および面発光素子２０の側に延出している部分は、非発光領域Ｒ３０には対向していない。
【００８４】
このような構成に限られず、面発光素子１０，２０の配列方向（図９紙面左右方向）において、反射面６１は、非発光領域Ｒ３０よりも狭い幅を有していてもよい。反射面６１は、非発光領域Ｒ３０に対向する部分と、当該部分から面発光素子１０の側および／または面発光素子２０の側に延出する部分とを有するように構成してもよい。
【００８５】
本実施の形態の反射部材６０は、上述の実施の形態１における反射部材５０（図７参照）を、面発光素子１０，２０の配列方向に６つの領域に分割し、各々の頂部の高さが略同一となるようにそれぞれの領域の厚みを減らした形状を有している。当該構成によれば、発光装置のさらなる薄型化を図ることができる。これに限られず、反射部材６０は、上述の実施の形態１における反射部材５０（図７参照）を、面発光素子１０，２０の配列方向に６つの領域に分割し、各々の頂部の高さが異なるように（たとえば、外側に位置する方が内側に位置する方に比べて順に背が高くなるように）それぞれの領域の厚みを減らした形状を有していてもよい。
【００８６】
［実施の形態３］
図１０を参照して、実施の形態３における発光装置６００は、面発光素子１０（第１面発光素子）、面発光素子２０（第２面発光素子）、拡散部材３０、反射部材４０（第１反射部材）、反射部材８０（第２反射部材）、および反射部材９０Ａ，９０Ｂを備える。発光装置６００は、上述の実施の形態１の発光装置４００（図７参照）と同様の構成に加えて、反射部材５０の代わりに反射部材８０を備えるという構成と、反射部材９０Ａ，９０Ｂをさらに備えるという構成とを有している。
【００８７】
反射部材８０は、反射部材４０の反射面４１（第１反射面）上においてこれに固定されている。この構成に限られず、反射部材８０は、反射面４１に接しないように構成され、図示しない筺体などに固定されていてもよい。本実施の形態では、反射部材４０および反射部材８０同士は別の部材から構成されるが、これらは一つの部材から構成されていてもよい。
【００８８】
反射部材８０は、反射面８１（第２反射面）を含む。反射面８１は、面発光素子１０と面発光素子２０との間に形成された非発光領域Ｒ３０に間隔を空けて配置され、反射部材４０が位置している側から非発光領域Ｒ３０に対向している。反射面８１は、非発光領域Ｒ３０に対して間隔を空けながら、非発光領域Ｒ３０を裏面１７，２７の側から覆うように位置している。
【００８９】
反射面８１は、複数の第１反射領域８２ａ，８２ｂ，８２ｃと、複数の第２反射領域８３ａ，８３ｂ，８３ｃとを有する。第１反射領域８２ａ，８２ｂ，８２ｃは、面発光素子１０の側から面発光素子２０の側に向かうにつれて（図１０中の左側から右側に向かうにつれて）、非発光領域Ｒ３０から遠ざかる方向に延びる形状を有している。第２反射領域８３ａ，８３ｂ，８３ｃは、面発光素子２０の側から面発光素子１０の側に向かうにつれて（図１０中の右側から左側に向かうにつれて）、非発光領域Ｒ３０から遠ざかる方向に延びる形状を有している。反射面６１の全体としては、いわゆるリニアフレネルレンズ面の形状を有している。
【００９０】
反射部材８０は、拡散部材３０の側から反射部材４０の側に向かって凹状に湾曲する内周面を有する部材を、面発光素子１０，２０の配列方向に６つの領域に分割し、各々の頂部の高さが略同一となるようにそれぞれの領域の厚みを減らした形状を有している。これら６つの領域は、非発光領域Ｒ３０が延びる方向（図１０紙面に対して垂直な方向）に沿って延びる形状を有しており、面発光素子１０，２０の配列方向に沿って並んでいる。６つのうちの紙面左側に位置する３つの領域の表面に第１反射領域８２ａ，８２ｂ，８２ｃが形成され、６つのうちの紙面右側に位置する３つの領域の表面に第２反射領域８３ａ，８３ｂ，８３ｃが形成されている。
【００９１】
第１反射領域８２ａと第２反射領域８３ａとの間には、図１０紙面に対して垂直な方向に延びる稜線が形成されている。面発光素子１０，２０の配列方向（図１０紙面左右方向）において、この稜線は、同方向において非発光領域Ｒ３０が設けられている範囲内に含まれるように位置している。好ましくは、面発光素子１０，２０の配列方向（図９紙面左右方向）におけるこの稜線の位置は、同方向における非発光領域Ｒ３０の丁度中心の位置に一致しているとよい。図１０に示すように、本実施の形態では、面発光素子１０，２０の間に隙間Ｓが設けられる。好ましくは、面発光素子１０，２０の配列方向（図１０紙面左右方向）において、この稜線は、同方向において隙間Ｓが設けられている範囲内に含まれるように位置しているとよい。
【００９２】
第１反射領域８２ａは、第１反射領域８２ａと第２反射領域８３ａとの間に位置する稜線を起点として、面発光素子１０の側に向かって斜めに延びる曲面形状を有している。第１反射領域８２ｂは、その稜線のひとつ左側の稜線を起点として、面発光素子１０の側に向かって斜めに延びる曲面形状を有している。第１反射領域８２ｃは、その稜線のさらにひとつ左側の稜線を起点として、面発光素子１０の側に向かって斜めに延びる曲面形状を有している。
【００９３】
第２反射領域８３ａは、第１反射領域８２ａと第２反射領域８３ａとの間に位置する稜線を起点として、面発光素子２０の側に向かって斜めに延びる曲面形状を有している。第２反射領域８３ｂは、その稜線のひとつ右側の稜線を起点として、面発光素子２０の側に向かって斜めに延びる曲面形状を有している。第２反射領域８３ｃは、その稜線のさらにひとつ右側の稜線を起点として、面発光素子２０の側に向かって斜めに延びる曲面形状を有している。
【００９４】
第１反射領域８２ａ，８２ｂ，８２ｃおよび第２反射領域８３ａ，８３ｂ，８３ｃの湾曲面の形状としては、拡散部材３０の側から反射部材４０の側に向かって凹状に（凹むように）湾曲する形状であってもよく、反射部材４０の側から拡散部材３０の側に向かって凸状に（膨らむように）湾曲する形状であってもよい。
【００９５】
第１反射領域８２ａ，８２ｂ，８２ｃおよび第２反射領域８３ａ，８３ｂ，８３ｃは、第１反射領域８２ａと第２反射領域８３ａとの間に位置する稜線を含む法線を中心として線対称（図１０紙面における左右対称）の形状を有していてもよく、互いに異なる形状を有していてもよい。第１反射領域８２ａ，８２ｂ，８２ｃおよび第２反射領域８３ａ，８３ｂ，８３ｃには、高効率な反射を実現可能な鏡面加工が施されていてもよく、高効率な反射および拡散を実現可能な加工が施されていてもよい。
【００９６】
反射部材９０Ａは、反射部材４０の反射面４１（第１反射面）上においてこれに固定されている。反射部材９０Ａは、反射面４１に接しないように構成されてもよい。反射部材４０および反射部材９０Ａ同士は、別の部材から構成されてもよいし、これらは一つの部材から構成されていてもよい。反射部材９０Ａは、反射面９１Ａを含む。反射面９１Ａは、面発光素子１０の端部側に形成された非発光領域Ｒ３０Ａに間隔を空けて配置され、反射部材４０が位置している側から非発光領域Ｒ３０Ａに対向している。反射面９１Ａは、複数の反射領域９３ａ，９３ｂ，９３ｃを有し、これらは複数の第２反射領域８３ａ，８３ｂ，８３ｃと同様な形状を有している。
【００９７】
反射部材９０Ｂは、反射部材４０の反射面４１（第１反射面）上においてこれに固定されている。反射部材９０Ｂは、反射面４１に接しないように構成されてもよい。反射部材４０および反射部材９０Ｂ同士は、別の部材から構成されてもよいし、これらは一つの部材から構成されていてもよい。反射部材９０Ｂは、反射面９１Ｂを含む。反射面９１Ｂは、面発光素子２０の端部側に形成された非発光領域Ｒ３０Ｂに間隔を空けて配置され、反射部材４０が位置している側から非発光領域Ｒ３０Ｂに対向している。反射面９１Ｂは、複数の反射領域９２ａ，９２ｂ，９２ｃを有し、これらは複数の第１反射領域８２ａ，８２ｂ，８２ｃと同様な形状を有している。
【００９８】
上述の比較例１でも述べたように、反射部材４０を面発光素子１０，２０の裏面１７，２７の側に配置し、面発光素子１０，２０から放射された後に拡散部材３０に到達するまでの光の実効的な距離（光路長）を長くすることによって、輝度むらを低減できる。しかしながら、反射部材８０（第２反射部材）を備えない比較例１の構成では、その低減の度合いが十分でない場合がある。
【００９９】
輝度むらの低減の度合いが十分でない場合、たとえば、図８中の線Ｂ１に示されるような光強度を有する光が拡散部材３０に到達することとなる。これに対して本実施の形態のように反射部材８０を用いる場合には、反射部材８０の反射面８１で反射した光は非発光領域Ｒ３０に向かって集光（収束）され、反射部材８０の反射面８１で反射した光は図８中の線Ｂ２に示されるような光強度を有する光となって拡散部材３０に到達することとなる。
【０１００】
図８中の線Ｂ３は、線Ｂ１および線Ｂ２を合算（合成）したものである。線Ｂ３に示されるように、反射部材８０を用いる場合には輝度むらの発生をより低減できるものとなる。線Ｂ３は、例示として模式的に示しているものであり、線Ｂ３には輝度が部分的に高くなる箇所が２つあるが、反射部材８０の反射面８１の形状を調節したり、反射部材４０の反射面４１の反射率を調節したり、反射部材８０の反射面８１の反射率を調節したりすることにより、これらの輝度むらは容易に低減することができる。
【０１０１】
面発光素子１０，２０の配列方向（図１０紙面左右方向）において、本実施の形態の反射面８１は、非発光領域Ｒ３０よりも広い幅を有している。反射面８１は、非発光領域Ｒ３０に対向する部分と、当該部分から面発光素子１０の側および面発光素子２０の側に延出する部分とを有している。面発光素子１０の側および面発光素子２０の側に延出している部分は、非発光領域Ｒ３０には対向していない。
【０１０２】
このような構成に限られず、面発光素子１０，２０の配列方向（図１０紙面左右方向）において、反射面８１は、非発光領域Ｒ３０よりも狭い幅を有していてもよい。反射面８１は、非発光領域Ｒ３０に対向する部分と、当該部分から面発光素子１０の側および／または面発光素子２０の側に延出する部分とを有するように構成してもよい。
【０１０３】
本実施の形態の反射部材８０は、拡散部材３０の側から反射部材４０の側に向かって凹状に湾曲する内周面を有する部材を、面発光素子１０，２０の配列方向に６つの領域に分割し、各々の頂部の高さが略同一となるようにそれぞれの領域の厚みを減らした形状を有している。当該構成によれば、発光装置のさらなる薄型化を図ることができる。これに限られず、反射部材８０は、拡散部材３０の側から反射部材４０の側に向かって凹状に湾曲する内周面を有する部材を、面発光素子１０，２０の配列方向に６つの領域に分割し、各々の頂部の高さが異なるように（たとえば、外側に位置する方が内側に位置する方に比べて順に背が高くなるように）それぞれの領域の厚みを減らした形状を有していてもよい。
【０１０４】
［実験例］
図１１〜図１４を参照して、上述の各実施の形態に関して行った実験例について説明する。当該実験例は、実施例１〜３および比較例１を含み、各発光装置の正面輝度プロファイル（図１４参照）を測定したものである。
【０１０５】
実施例１（ＥＸ１）は、上述の実施の形態１の発光装置４００（図７参照）に対応し、実施例２（ＥＸ２）は、上述の実施の形態２の発光装置５００（図９参照）に対応し、実施例３（ＥＸ３）は、上述の実施の形態３の発光装置６００（図１０参照）に対応し、比較例１（ＣＭ）は、上述の比較例１の発光装置１００（図１参照）に対応している。
【０１０６】
実施例１〜３および比較例１に係る発光装置においては、いずれも、面発光素子１０，２０の幅（図１，７，９，１０中に示すＬ４）をそれぞれ９０ｍｍとし、非発光領域Ｒ３０の幅（同図中に示すＬ３）を１０ｍｍとし、面発光素子１０，２０と拡散部材３０との間の距離（同図中に示すＬ１）を１０ｍｍとし、面発光素子１０，２０と反射部材４０との間の距離（同図中に示すＬ２）を４ｍｍとした。実施例１〜３および比較例１に用いた拡散部材３０は、いずれも、９９％のｈａｚｅ値と５０％の透過率とを有するものとした。
【０１０７】
（実施例１）
図７および図１１を参照して、実施例１で用いた反射部材５０（第２反射部材）は、図１１中における位置（ｍｍ）の値が０ｍｍとなる位置を中心として、線対称の形状を有するものとした。反射部材５０の反射面５１（第２反射面）は、図１１中の線ＥＸ１に示されるような形状（線ＥＸ１を線対称とした形状）を有している。図１１中におけるＳａｇの値が０ｍｍの位置に、反射部材４０の反射面４１が設けられるものとした。反射部材５０は、図１１中における位置（ｍｍ）の値が０ｍｍとなる位置が、非発光領域Ｒ３０の中心に一致するように配置した。実施例１では、反射面４１（第１反射面）の反射率は５０％とし、反射面５１（第２反射面）の反射率は９５％とした。実施例１に係る発光装置４００の規格化正面輝度プロファイルは、図１４において線ＥＸ１として図示されている。
【０１０８】
（実施例２）
図９および図１２を参照して、実施例２で用いた反射部材６０（第２反射部材）は、図１２中における位置（ｍｍ）の値が０ｍｍとなる位置を中心として、線対称の形状を有するものとした。反射部材６０の反射面６１（第２反射面）は、図１２中の線ＥＸ２に示されるような形状（線ＥＸ２を線対称とした形状）を有している。図１２中におけるＳａｇの値が０ｍｍの位置に、反射部材４０の反射面４１が設けられるものとした。反射部材６０は、図１２中における位置（ｍｍ）の値が０ｍｍとなる位置が、非発光領域Ｒ３０の中心に一致するように配置した。実施例２では、反射面４１（第１反射面）の反射率は９５％とし、反射面５１（第２反射面）の反射率は９５％とした。実施例２に係る発光装置５００の規格化正面輝度プロファイルは、図１４において線ＥＸ２として図示されている。
【０１０９】
（実施例３）
図１０および図１３を参照して、実施例３で用いた反射部材８０（第２反射部材）は、図１３中における位置（ｍｍ）の値が０ｍｍとなる位置を中心として、線対称の形状を有するものとした。反射部材８０の反射面８１（第２反射面）は、図１３中の線ＥＸ３に示されるような形状（線ＥＸ３を線対称とした形状）を有している。図１３中におけるＳａｇの値が０ｍｍの位置に、反射部材４０の反射面４１が設けられるものとした。反射部材６０は、図１３中における位置（ｍｍ）の値が０ｍｍとなる位置が、非発光領域Ｒ３０の中心に一致するように配置した。実施例３では、反射面４１（第１反射面）の反射率は９５％とし、反射面５１（第２反射面）の反射率は３０％とした。実施例３に係る発光装置６００の規格化正面輝度プロファイルは、図１４において線ＥＸ３として図示されている。
【０１１０】
（比較例１）
図１を参照して、比較例１では、第２反射部材に相当する反射部材６０，７０，８０等は用いられていない。比較例１では、反射面４１（第１反射面）の反射率は９５％とした比較例１に係る発光装置１００の規格化正面輝度プロファイルは、図１４において線ＣＭとして図示されている。
【０１１１】
（正面輝度プロファイル）
図１４は、実施例１〜３および比較例１に係る発光装置の正面輝度プロファイルを示すグラフである。各グラフ（線ＣＭ，ＥＸ１〜ＥＸ３）は、各々のグラフ線における最も明るい箇所の輝度を１０００に規格化した相対値を示している。実施例１〜３の正面輝度プロファイルは、線ＥＸ１〜ＥＸ３としてそれぞれ図示され、比較例１に係る正面輝度プロファイルは、線ＣＭとして図示されている。
【０１１２】
実施例１〜３および比較例１の中では、比較例１（線ＣＭ）に係る構成が最も輝度のばらつき（グラフ中の上下方向の分布）が大きくなっていることがわかる。実施例１〜３の構成は、比較例１の構成に比べて輝度むらの発生を低減できるものとなっていることがわかる。このような結果から、上述した本発明の実施の形態における発光装置の構成とすることにより、輝度分布のばらつきが低減された輝度プロファイルが得られることになり、輝度の不均一性が低減されて非発光領域がより目立たなくなるものとなることがわかる。
【０１１３】
以上、本発明に基づいた各実施の形態および各実施例について説明したが、今回開示された各実施の形態および各実施例はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１１４】
１０，１０ｚ，２０，２０ｚ  面発光素子、１１，２１  透明基板、１２，２２  陽極、１３，１３ｚ，２３，２３ｚ  有機層、１４，２４  陰極、１５，２５  封止部材、１６，２６，３１  表面、１７，２７，３２  裏面、３０  拡散部材、４０  反射部材（第１反射部材）、５０，６０，８０  反射部材（第２反射部材）、７０Ａ，７０Ｂ，９０Ａ，９０Ｂ  反射部材、４１  反射面（第１反射面）、５１，６１，８１  反射面（第２反射面）、７１Ａ，７１Ｂ，９１Ａ，９１Ｂ  反射面、５２，６２ａ，６２ｂ，６２ｃ，８２ａ，８２ｂ，８２ｃ  第１反射領域、５３，６３ａ，６３ｂ，６３ｃ，８３ａ，８３ｂ，８３ｃ  第２反射領域、７２ａ，７２ｂ，７２ｃ，７３ａ，７３ｂ，７３ｃ，９２ａ，９２ｂ，９２ｃ，９３ａ，９３ｂ，９３ｃ  反射領域、１００，２００，３００，４００，５００，６００  発光装置、Ｒ１１，Ｒ１２，Ｒ２１，Ｒ２２  発光領域、Ｒ１３，Ｒ２３，Ｒ３０，Ｒ３０Ａ，Ｒ３０Ｂ  非発光領域、Ｓ  隙間。
【図１】
2014229547.tif 000003
【図２】
2014229547.tif 000004
【図３】
2014229547.tif 000005
【図４】
2014229547.tif 000006
【図５】
2014229547.tif 000007
【図６】
2014229547.tif 000008
【図７】
2014229547.tif 000009
【図８】
2014229547.tif 000010
【図９】
2014229547.tif 000011
【図１０】
2014229547.tif 000012
【図１１】
2014229547.tif 000013
【図１２】
2014229547.tif 000014
【図１３】
2014229547.tif 000015
【図１４】
2014229547.tif 000016